(57)【特許請求の範囲】
【請求項１】
番組表の番組情報の中から選択され、第１の評価方法に基づいた評価値が付され、ユーザの操作に応じて抽出された番組情報を含む内部番組リストを生成する内部番組リスト生成部と、
外部で前記ユーザに対して作成され、前記内部番組リストとは評価方法が異なる第２の評価方法に基づいた評価値が付された番組情報を含む外部番組リストを取り込み格納する外部番組リスト格納部と、
前記内部番組リストと前記外部番組リストの前記評価値を用いて番組情報の並び替えを行い、所定の数の番組情報を含む新番組リストを生成する新番組リスト生成部と、
前記新番組リストの番組情報に基づいて、予約録画を実行する録画予約処理部と
を有したことを特徴とする録画機能付受信装置。
【請求項２】
前記新番組リスト生成部は、
前記外部番組リストと、前記内部番組リストの前記評価値を正規化する処理部を含むことを特徴とする請求項１記載の録画機能付受信装置。
【請求項３】
前記新番組リスト生成部は、
前記外部番組リストと、前記内部番組リストの前記評価値を正規化し、正規化された各評価値に重みを乗算する処理部を含むことを特徴とする請求項１記載の録画機能付受信装置。
【請求項４】
前記新番組リスト生成部は、
前記外部番組リストと、前記内部番組リストの前記評価値を正規化し、正規化された各評価値に重みを乗算し、新たに計算された評価値の高い順に番組をソートする処理部を含むことを特徴とする請求項１記載の録画機能付受信装置。
【請求項５】
さらに前記重みの値を可変する重み可変部を有することを特徴とする請求項４記載の録画機能付受信装置。
【請求項６】
受信部と、番組情報を取り込み処理する番組情報処理部と、ネットワークインターフェースと、制御部とを有した受信装置の録画予約方法において、
前記制御部は、
前記番組情報処理部の番組情報の中から選択され、第１の評価方法に基づいた評価値が付され、ユーザの操作に応じて抽出された番組情報を含む内部番組リストを生成し、
外部で前記ユーザに対して作成され、前記内部番組リストとは評価方法が異なる第２の評価方法に基づいた評価値が付された番組情報を含む外部番組リストを、前記ネットワークインターフェースを介して取り込み格納し、
前記内部番組リストと前記外部番組リストの中の前記評価値を用いて番組情報の並び替えを行い、所定の数の番組情報を含む新番組リストを生成し、
前記新番組リストの番組情報に基づいて、予約録画を実行する
ことを特徴とする受信装置の録画予約方法。
【請求項７】
前記内部番組リストと前記外部番組リストの番組情報は、それぞれ異なるアルゴリズムにより前記評価値が付加されていることを特徴とする請求項６記載の受信装置の録画予約方法。
【請求項８】
前記新番組リストを生成するとき、
前記外部番組リストと、前記内部番組リストに含まれる各番組の前記評価値を正規化し、正規化された各評価値に重みを乗算し、新たに計算された評価値の高い順に番組をソートすることを特徴とする請求項６記載の受信装置の録画予約方法。
【発明の詳細な説明】
【技術分野】
【０００１】
この発明は、録画機能付受信装置及び受信装置の録画予約方法に関するものであり、ユーザの好みに応じた番組の番組情報を、外部からの推奨も組み入れて作成することができる装置及び方法である。
【背景技術】
【０００２】
近年、ハードディスクドライブ（ＨＤＤ）、ＤＶＤ（デジタルバーサタイルディスク）などの記録媒体に関して記録容量の向上が得られ、これらの記録媒体を用いた記録再生装置では、多くの番組を予約録画可能となっている。
【０００３】
一方、放送方式として、地上アナログ放送、地上デジタル放送、衛星アナログ放送、衛星デジタル放送など、各種の放送方式が実現化されている。
【０００４】
また、デジタル放送では、新聞や雑誌のテレビ番組表の代わりに、電子番組ガイド（ＥＰＧ）が番組情報として放送されている。この番組情報は、電話回線などのネットワークを介して取得可能となるように検討されている。
【０００５】
また、最近の記録再生装置では、番組表の中からユーザが予め選択した番組を自動的に録画する、録画予約機能を有する。また、ユーザが、好みのジャンルを設定すれば、自動的に番組表の中から好みのジャンルの番組を検索し、自動的に好みのジャンルの番組を録画する自動録画予約機能も考えられている。
【０００６】
ユーザは、受信装置で受信されたＥＰＧが表示器の画面上に表示された状態で、録画予約の設定やジャンルの設定行うことができる。
【０００７】
しかし、最近のように放送方式が複数となり、またチャンネル数も多くなると、ユーザが録画予約を行なう手間が複雑かつ面倒な作業となる。また、好みのジャンルを自動録画予約すると、自動録画する番組が非常に多くなり、録画後の整理に手間取る、同じ番組を別々の放送（例えば地上放送、衛星方法）からダブって録画する、記憶媒体の容量を多く使用するなどの不具合が生じる。
【０００８】
このようなユーザの不便を解消する方法として、予約パターン情報を生成する予約パターンサーバーを用意する方法が提案されている（特許文献１）。予約パターンサーバーでは、ユーザに推奨する番組を予約パターン情報として、オピニオンリーダが公開している。ユーザは、ネットワークを通じて、予約パターン情報を取得して録画予約情報として利用できる。
【特許文献１】特開２００２−２１８３６３
【発明の開示】
【発明が解決しようとする課題】
【０００９】
上記した従来の方法であると、外部の装置で推奨された番組であると、ユーザの嗜好性が希薄化される恐れがある。
【００１０】
そこでこの発明においては、ユーザの嗜好性を強調することができ、かつ録画予約操作の負担も軽減され、予約番組の見落としも少ない工夫をした録画機能付受信装置及び受信装置の録画予約方法を提供することを目的とする。
【課題を解決するための手段】
【００１１】
上記の目的を達成するためにこの発明の一面では、番組表の番組情報の中から選択され、第１の評価方法に基づいた評価値が付され、ユーザの操作に応じて抽出された番組情報を含む内部番組リストを生成する内部番組リスト生成部と、外部で前記ユーザに対して作成され、前記内部番組リストとは評価方法が異なる第２の評価方法に基づいた評価値が付された番組情報を含む外部番組リストを取り込み格納する外部番組リスト格納部と、前記内部番組リストと前記外部番組リストの前記評価値を用いて番組情報の並び替えを行い、所定の数の番組情報を含む新番組リストを生成する新番組リスト生成部と、前記新番組リストの番組情報に基づいて、予約録画を実行する録画予約処理部とを有したことを特徴とする。
【発明の効果】
【００１２】
上記の手段によると、外部番組リストにより、ユーザの嗜好性のある番組が放送チャンネルの全体にわたり総合的に提示され、内部番組リストにより、ユーザが特別に嗜好性の番組が強調されて提示される。そしてこれらの情報を評価点に基づいてマージして、新番組リストを生成するので、ユーザの嗜好性をより強調することができ、かつ録画予約操作の負担も軽減され、予約番組の見落としも少ない番組リストを得ることができる。つまり、ユーザの嗜好にあった番組を幅広く調査することが可能であり、かつ、ユーザの嗜好性が強調される番組を収集することが可能となる。
【発明を実施するための最良の形態】
【００１３】
以下、図面を参照しながらこの発明の実施の形態を説明する。図１において、１１はサーバーであり、このサーバー１１には、ネットワーク２０を介して、情報記録再生装置１００が接続される。
【００１４】
情報記録再生装置１００において、アンテナ部９０からの高周波信号は、情報記録再生装置１００の受信部４００に導入される。受信部４００では、ユーザ操作、或いは録画予約情報により選択されたチャンネルの番組が、例えば記録処理部５００に導かれる。また、記録処理部５００には、端子１０１を介して、外部からの信号も直接入力することができる。前記番組は、出力部７００を介してモニタ３００１に入力されてもよい。
【００１５】
記録処理部５００は、記録メディア部１０００の記録媒体に番組の信号をエンコードした圧縮信号を記録することができる。再生処理部６００は、記録メディア部１０００の記録媒体に記録されている番組の圧縮信号を再生しデコードし、出力部７００を介してモニタ３００１に供給することができる。
【００１６】
さらに制御部として、ＥＰＧ情報処理部３０１、内部番組リスト生成部３０２が用意されている。内部番組リスト生成部３０２は、ユーザが番組を録画予約したときに、録画予約に関する番組リストを生成する。この番組リストは、装置の内部で生成されるので、内部番組リストと称することにする。内部番組リストは、複数の予約番組の番組情報を有するテーブルである。この予約番組の番組情報は、ユーザ操作に応じて、ＥＰＧ情報から抽出された番組情報である。
【００１７】
お好み番組情報生成部３０３は、内部番組リストに提示されている予約番組は、ユーザが好みの番組（嗜好性のある番組）であると判定している。また、録画予約していなくても、お好み番組情報生成部３０３は、ユーザが視聴した番組であって、例えば毎週ほぼ同じ時間帯に視聴している番組、また毎日ほぼ同じ時間帯に視聴している番組があった場合も、その番組は、ユーザが好みの番組（嗜好性のある番組）であると判定している。また番組を最初から最後まで視聴したか否かを示す情報をチェックし、番組を最初から最後まで視聴した場合は、その番組は、ユーザが好みの番組（嗜好性のある番組）であると判定している。さらに、毎週同じ時間帯で放送されるシリーズの番組を、最初から最後まで視聴している場合もユーザが好みの番組（嗜好性のある番組）であると判定している。
【００１８】
このようなお好み番組が判定されたとき、お好み番組情報生成部３０３は、ＥＰＧ情報を利用して、当該番組の例えば、カテゴリー、番組の登場人物、番組名を示す情報を集合し、お好み情報を生成する。このお好み情報は、ユーザが番組を選択する嗜好性を示すことになる。
【００１９】
上記のお好み情報は、ユーザＩＤとともに、ネットワークインターフェース３２０を介して、サーバー１１に送信される。
【００２０】
サーバー１１は、ネットワーク２０を介して伝送されてきたお好み情報を、ネットワークインターフェース１２を介して受信する。受信したお好み情報は、ユーザ毎に、ユーザ嗜好分析部１３で分析される。このユーザ嗜好分析部１３は、サーバー提供者が作成したソフトウエアにより、お好み情報を用いて、ユーザが好むと思われる番組情報をサーバー独自で複数検出する。番組情報を検出する場合、ＥＰＧ情報処理部１４のＥＰＧ情報が利用される。
【００２１】
複数の番組情報が検出されると、お勧め番組リスト生成部１６において、ユーザに対するお勧め番組リストが生成される。お勧め番組リストは、録画予約情報として用いることができる内容である。このお勧め番組リストは、ユーザが所有する装置の外部で生成されるので、外部番組リストと称することにする。この外部番組リストは、サーバー１１の独自のアルゴリズムのソフトウエアに基づいて生成されるので、装置１００内で、生成された内部番組リストとは異なる番組情報を有する。
【００２２】
サーバー１１は、お勧め番組リストを、ネットワークインターフェース１２を介してユーザが所有する装置１００に返信する。
【００２３】
情報記録再生装置１００は、外部番組リストを外部番組リスト格納部３０４に格納する。ここで、上記の内部番組リスト、外部番組リストにそれぞれ含まれる番組情報には、評価値が付加されている。
【００２４】
評価値は、番組情報に付加される値である。内部番組リストにおいて、評価値は、例えば、過去１ヶ月、或いは数ヶ月間のデータであって、番組に対するユーザの視聴回数、番組を最初から最後まで見たか否かを示すフラッグ、に対して、それぞれ値（ポイント）が割り当てられている。これにより、各番組に対する評価値が決まり、各番組情報に付加されている。視聴回数が多い番組ほど高い評価値が付加されてもよい。また、また最初から最後まで見たフラッグがついている番組に対しても高い評価値が付加されるようにしてもよい。評価の方法は、種々の方法が可能であり、ソフトウエアのアルゴリズムにより異なる。
【００２５】
一方、サーバー１１においては、お好み情報を用いて、外部番組リストを生成する。このとき外部番組リストに含まれる番組情報には、評価値が付加される。このときの評価値は、例えば次のように計算されて付加される。即ち、カテゴリー、番組の登場人物がほぼ一致し、かつ番組名が類似する番組には、評価値Ａ，カテゴリー及び番組の登場人物がほぼ一致する番組には、評価値Ｂ、カテゴリーのみが一致する番組には評価値Ｃと言うふうに評価値が付加される。
【００２６】
上記の説明では、サーバー１１において１つのユーザに対して、１つのお勧め番組リストを生成している。しかし、評価方法の異なるソフトウエアにより、複数のお勧め番組リストを生成して、ユーザに提供してもよい。
【００２７】
情報記録再生装置１００においては、それぞれ異なるアルゴリズムにより評価値が付加された外部番組リストと内部番組リストを用いて、新番組リストが生成される。この新番組リストは、新番組リスト生成部３０５において生成される。
【００２８】
新番組リストが生成されると、録画予約処理部３０６により、新番組リストに提示されている番組の録画予約が行なわれる。
【００２９】
図２には、上記の新番組リスト生成部３０５の動作を示すフローチャートを示している。複数の番組リストのマージ（又はハイブリッド）処理が開始する。この処理は、例えば装置が使用されていないときで定期的な時間間隔を置いて行なわれる。装置内でマージ対象となる番組リストが今ｎ個あるとする（ステップＳＡ１）。各番組リストが有する番組（番組情報）数Ｎを等しくする。例えば、最小公倍数を計算して、最小公倍数に設定する。このとき、評価値の高い番組情報から残される（ステップＳＡ２）。
【００３０】
番組リストＬｉ( １ ＜ ｉ ＜ ｍ )
Ｎ＝ｍｉｎ（ｎｉ）
ｎｉ は、各番組リストＬｉの番組数
番組リストＬｉにおいてｎｉ＞Ｎのときは、評価値の高い番組から順番にＮこの番組が選択される。
【００３１】
次に、ステップＳＡ３において、各番組リストの各番組の評価値が正規化される。以下は、正規化方法の一例である。
【００３２】
各番組リストＬｉの各番組の評価値：Ｐ（ｉｊ）（１＜ｊ＜Ｎ）、
番組の評価方法ｉで
番組評価値Ｐ（ｉｊ）のとり得る最大値：ｆｕｌｌ（Ｐ（ｉｊ））
Ｐ（ｉｊ）の最大値：ｍａｘ（Ｐ（ｉｊ））
とすると、正規化した評価値は、
【数１】
0004660416.tif 000002
【００３３】
で計算される。
【００３４】
次のステップＳＡ４では、正規化された番組の評価値、又は所定の番組リストの正規化された番組の評価値に対して、予め設定している重みを乗算する。そして、この結果得られた評価値に基づいて、評価値の高い番組を順番にソートし、新番組リストを生成する（ステップＳＡ５）。
【００３５】
重みをｗｉとすると番組の最終評価値ｗｎＰ（ｉｊ）は、
ｗｎＰ（ｉｊ）＝ｗｉ×ｎＰ（ｉｊ）となる。このとき重みｗｉの値は、例えば以下のいずれかで決められた値が利用される、
（ａ）これまでの一定期間のうち、各番組リストの番組の予約実績に基づいて自動的に決められた値が利用される、
（ｂ）サーバーから取得した重みの値が利用される、
（ｃ）ユーザが任意に設定した値が利用される。
【００３６】
上記の処理により、ユーザの嗜好性をより強調することができ、予約番組の見落としも少ない新番組リストを得ることができる。重みｗｉの自動計算方法は以下の方法がある。
【数２】
0004660416.tif 000003
【００３７】
ｒｉは、一定期間のおすすめ番組リストＬｉからの録画数である。
【００３８】
新番組リストを生成するときは、次のようなルールが適用される、
（ａ）ある番組が複数の番組リストに存在する場合は、最終評価値の最も高い番組が採用される、
（ｂ）ある番組リストＬｉに同じ評価値の番組が複数存在した場合は、正規化前の元のリストＬｉの順序に従う、
（ｃ）重み付けした結果、ｗｎＰ（ｉｊ）＝ｗｎＰ（ｘｙ）が存在するようになった場合、ｗｉ，ｗｙの大小関係に基づいて、ソートする。
【００３９】
図３には、上記したように新番組リストが生成された後、自動録画予約が行なわれる手順を示している。新番組リストに基づく自動録画予約が開始されると、新番組リスト生成部３０５に生成されている、新番組リストが取得される（ステップＳＢ１）。
【００４０】
まず、自動録画予約を行なうために、記録再生装置のメモリには、次のような情報が、ＥＰＧから抽出されて保存されている。つまり各番組に関して
放送日            必須
チャンネルコード  必須
放送開始時刻      必須
放送終了時刻      必須
ジャンル          非必須
などの情報が保存されている。また、サーバーから送られてくるお勧め番組リストに基づいて、自動録画予約を行なうときに、例えば以下の条件が適用される、
（ｂ−１）自動録画番組数
（ｂ−２）自動録画時間数。
【００４１】
ステップＳＢ１で新番組リストが取得されると、ステップ２で評価値の高い番組の順番で、次の番組情報（例えば番組名、チャンネル）が１つ取得される（ステップＳＢ２）。番組情報に基づいて、取得した番組の放送日、放送時間帯が判明する。この結果、当該番組の録画予約が可能か否か判定される（ステップＳＢ３）。例えば、他の優先度の高い番組が、同じ時間帯で録画予約されていた場合は、録画予約不可となる。この場合は、次の評価値の番組が選択される（ステップＳＢ３−ＳＢ２）。録画可能な番組が認識されたときは、当該番組情報が、録画予約テーブルに設定される（ステップＳＢ４）。次に、ステップＳＢ５において、各種の条件が判定される。この各種条件は、メーカや機種に応じて任意に設定される。例えば以下のような条件が設定される。
【００４２】
例えば、所定数の録画予約が設定された場合は、予約処理が終了する、
所定の評価値以上の番組が録画予約された場合には、予約処理が終了する、
録画予約テーブルが満杯になったときは予約処理が終了する、
予約番組の総時間数が所定値になったときや予約処理が終了する、
予約する番組が無い場合には、予約処理が終了する。
【００４３】
上記したように、この発明の装置及び方法によると、異なる評価により得られた複数の番組リストから、新しい番組リストを生成している。これにより、ユーザの嗜好にあった番組を幅広く調査することが可能であり、かつ、ユーザの嗜好性が強調される番組を収集することが可能となる。
【００４４】
図４にはこの発明が適用された情報記録再生装置の全体的なブロック構成を示している。図４では、記録媒体としてＤＶＤなどの光ディスクとハードディスクの双方を取り扱うことができる装置として示しているが、ハードディスクあるいはＤＶＤなどの光ディスクは例えば半導体メモリによる記録媒体などに置換されてもよい。図４において、各ブロックを大きく分けると、左側には記録部の主なブロックを示し，右側には再生部の主なブロックを示している。
【００４５】
図４の記録再生装置は、ディスクドライブ部１００２と、ハードディスクドライブ部１００４の２種類のディスクドライブ部を有する。ディスクドライブ部１００２は、光ディスク１００１を回転駆動し、情報の読み書きを実行する。ディスクドライブ部１００２は、光ディスク１００１に対する回転制御系、レーザ駆動系、光学系などを有する。また、ハードディスクドライブ部１００４は、ハードディスクを駆動する。
【００４６】
データプロセッサ部１００３は、ディスクドライブ部１００２及びハードディスクドライブ部１００４に記録データを供給することができ、また、再生された信号を受け取ることができる。データプロセッサ部１００３は、記録または再生単位のデータを取り扱うもので、バッファ回路、変調・復調回路、エラー訂正部などを含む。
【００４７】
またこの記録再生装置は、録画側を構成するエンコーダ部５０と、再生側を構成するデコーダ部６０と、装置本体の動作を制御するマイクロコンピュータブロック３０とを主たる構成要素としている。エンコーダ部５０は、トランスポートストリーム処理部及び複数のエンコーダを含む。
【００４８】
エンコーダ部５０は、基本的には入力されたアナログビデオ信号やアナログオーディオ信号をデジタル化するビデオ用及びオーディオ用のアナログデジタルコンバータと、ビデオエンコーダと、オーディオエンコーダとを有する。さらに、副映像エンコーダも含む。
【００４９】
エンコーダ部５０からのエンコード出力は、バッファメモリ５２を含むフォーマッタ５１にて所定のＤＶＤのフォーマットに変換され、先のデータプロセッサ部１００３に供給される。
【００５０】
なおトランスポートストリームから抽出したパケットエレメンタリーストリームがエンコーダ部５０から直接ハードディスクドライブ部１００４のハードディスクに記録される場合もある。
【００５１】
エンコーダ部５０には、スイッチ５３を介して、ＡＶ入力部４１ａからの外部アナログビデオ信号と外部アナログオーディオ信号が入力することができる。またエンコーダ部５０には、地上波アナログチューナ４１ｃ、地上波デジタルチューナ４１ｃ、衛星ＢＳ／ＣＳチューナ４１ｅ，衛星アナログチューナ４１ｅからの受信信号が選択的に入力することができる。また、エンコーダ部５０で複数のデコーダが活用される場合、地上波デジタルチューナ４１ｃで受信した番組がハードディスクドライブ部１００４で録画され、同時に、衛星ＢＳ／ＣＳチューナ４１ｄで受信した番組を視聴することも可能である。
【００５２】
なお、エンコーダ部５０は、圧縮されたデジタルビデオ信号やデジタルオーディオ信号が直接入力されるときは、圧縮デジタルビデオ信号やデジタルオーディオ信号を直接フォーマッタ５１に供給することもできる。またエンコーダ部５０は、アナログデジタル変換されたデジタルビデオ信号やオーディオ信号を、ビデオミキシング部７１やオーディオセレクタ７６に直接供給することもできる。
【００５３】
エンコーダ部５０に含まれるＭＰＥＧビデオエンコーダでは、デジタルビデオ信号はＭＰＥＧ２またはＭＰＥＧ１規格に基づいた可変ビットレートで圧縮されたデジタルビデオ信号に変換される。デジタルオーディオ信号は、ＭＰＥＧまたはＡＣ−３規格に基づいて固定ビットレートで圧縮されたデジタルオーディオ信号、あるいはリニアＰＣＭのデジタルオーディオ信号に変換される。
【００５４】
副映像信号がＡＶ入力部４１ａから入力された場合（例えば副映像信号の独立出力端子付ＤＶＤビデオプレーヤからの信号など）、あるいはこのようなデータ構成のＤＶＤビデオ信号が放送されてそれがＴＶチューナ部で受信された場合は、ＤＶＤビデオ信号中の副映像信号が副映像エンコーダでエンコード（ランレングス符号化）されて副映像のビットマップとなる。
【００５５】
エンコードされたデジタルビデオ信号、デジタルオーディオ信号、副映像データは、フォーマッタ５１にてパック化され、ビデオパック、オーディオパック、副映像パックとなり、さらにこれらが集合されて、ＤＶＤ-ビデオ規格で規定されたフォーマット（ＤＶＤ  Ｖｉｄｅｏフォーマット）や、ＤＶＤ-レコーディング規格で規定されたフォーマット（ＤＶＤ  ＶＲフォーマット）に変換される。フォーマッタ５１は、上記の変換処理のとき、バッファメモリ５２も利用している。
【００５６】
装置は、フォーマッタ５１でフォーマット化された情報（ビデオ、オーディオ、副映像データなどのパック）及び作成された管理情報を、データプロセッサ部１００３を介してハードディスクドライブ部１００４あるいはデータディスクドライブ部１００２に供給し、ハードディスクあるいは光ディスク１００１に記録することができる。またハードディスクあるいは光ディスク１００１に記録された情報を、データプロセッサ部１００３、ディスクドライブ部１００２を介して光ディスク１００１あるいはハードディスクに記録することもできる。
【００５７】
またハードディスクあるいは光ディスク１００１に記録されている複数番組のビデオオブジェクトを、一部削除したり、異なる番組のオブジェクトをつなげたり、といった編集処理を行うこともできる。
【００５８】
マイクロコンピュータブロック３０は、ＭＰＵ（マイクロプロセッシングユニット）、またはＣＰＵ（セントラルプロセッシングユニット）と、制御プログラム等が書きこまれたＲＯＭと、プログラム実行に必要なワークエリアを提供するためのＲＡＭとを含んでいる。マイクロコンピュータブロック３０は、ネットワークインターフェース３２０を介して、外部ネットワークに接続することが可能である。これにより、外部のサーバーから電子番組案内情報（ＤＥＰＧ：Dynamic Electronic Program Guide）を取り込むことも可能である。
【００５９】
さらにマイクロコンピュータブロック３０のＭＰＵは、そのＲＯＭに格納された制御プログラムに従い、ＲＡＭをワークエリアとして用いて、欠陥場所検出、未記録領域検出、録画情報記録位置設定、ＵＤＦ記録、ＡＶアドレス設定などを実行する。
【００６０】
またマイクロコンピュータブロック３０は、装置の各ブロックを統括して制御するために必要な情報処理部を有するもので、ワークＲＡＭ、ディレクトリ検出部、ＶＭＧ（全体のビデオ管理情報）情報作成部、パケットヘッダ処理部、シーケンスヘッダ処理部などを備える。またマイクロコンピュータブロック３０は、録画を実行する際の管理情報の制御部と、編集を実行する際の管理情報の制御部をも備える。
【００６１】
さらに、マイクロコンピュータブロック３０には、先に説明したように、ＥＰＧ情報処理部３０１、内部番組リスト生成部３０２、お好み番組情報生成部３０３、外部番組リスト格納部３０４、新番組リスト生成部３０５、録画予約処理部３０６を有する。さらに、外部からの操作で番組に対する重みを可変できる重み可変部３１５、評価値可変部３１６を有しても良い。またこのような操作が行われるときのグラフィックユーザインターフェースとして、表示制御部３１４を有する。また、録画予約情報に基づいて、チューナなどを制御する受信制御部３１１、番組を録画するために記録制御部３１２、記録番組を再生するために再生制御部３１３を有する。
【００６２】
ＭＰＵの実行結果のうち、ユーザに通知すべき内容は、映像データ記録再生装置の表示部８１に表示されるか、またはモニターディスプレイにＯＳＤ（オンスクリーンディスプレイ）表示される。
【００６３】
またマイクロコンピュータブロック３０は、この装置を操作するための操作信号を与えるキー入力部８２を有する。このキー入力部８２は、例えば記録再生装置の本体上に設けた操作スイッチ類や、あるいはリモートコントローラなどに相当する。また、記録再生装置と有線通信あるいは無線通信あるいは光通信や赤外線通信などの手段を用いて接続されたパーソナルコンピューターであってもよい。いずれの形態であるにせよ、ユーザがこのキー入力部８２を操作することにより、入力された映像音声信号の録画処理や、録画されたコンテンツの再生処理、あるいは録画されたコンテンツに対する編集処理などを施すことができる。
【００６４】
なお、マイクロコンピュータブロック３０が、ディスクドライブ部１００２、ハードディスクドライブ部１００４、データプロセッサ部１００３、エンコーダ部５０及び／またはデコーダ部６０などを制御するタイミングは、ＳＴＣ（システムタイムクロック）３１からの時間データに基づいて実行することができる。録画や再生の動作は、通常はＳＴＣ３１からのタイムクロックに同期して実行されるが、それ以外の処理はＳＴＣ３１とは独立したタイミングで実行されてもよい。
【００６５】
デコーダ部６０は、パック構造を持つＤＶＤフォーマットの信号から各パックを分離して取り出すセパレータと、パック分離やその他の信号処理実行時に使用するメモリと、セパレータで分離された主映像データ（ビデオパックの内容）をデコードするＶデコーダと、セパレータで分離された副映像データ（副映像パックの内容）をデコードするＳＰデコーダと、セパレータで分離されたオーディオデータ（オーディオパックの内容）をデコードするＡデコーダとを有する。またデコードされた主映像にデコードされた副映像を適宜合成し、主映像にメニュー、ハイライトボタン、字幕やその他の副映像を重ねて出力するビデオプロセッサを備えている。
【００６６】
デコーダ部６０の出力ビデオ信号は、ビデオミキシング部７１に入力される。ビデオミキシング部７１では、例えばテキストデータの合成が行われる。またビデオミキシング部７１には、ＴＶチューナやＡＶ入力部４１aからの信号を直接取り込むラインもまた接続されている。ビデオミキシング部７１には、バッファとして用いるフレームメモリ７２が接続されている。ビデオミキシング部７１の出力がアナログ出力の場合はＩ／Ｆ（インタフェース）７３を介して外部出力され、デジタル出力の場合はデジタルアナログ変換器７４を介して外部へ出力される。
【００６７】
デコーダ部６０の出力オーディオ信号は、セレクタ７６を介してデジタルアナログ変換器７７でアナログ変換され外部に出力される。セレクタ７６は、マイクロコンピュータブロック３０からのセレクト信号により制御される。これによりセレクタ７６は、ＴＶチューナやＡＶ入力部４１aからのデジタル信号を直接モニタする時、エンコーダ部５０をスルーした信号を直接選択することも可能である。
【００６８】
なお、エンコーダ部５０のフォーマッタでは、録画中、各切り分け情報を作成し、定期的にマイクロコンピュータブロック３０のＭＰＵへ送る（ＧＯＰ先頭割り込み時などの情報）。切り分け情報としては、ＶＯＢＵのパック数、ＶＯＢＵ先頭からのIピクチャのエンドアドレス、ＶＯＢＵの再生時間などである。
【００６９】
同時に、アスペクト情報処理部からの情報を録画開始時にＭＰＵへ送り、ＭＰＵはＶＯＢストリーム情報（ＳＴＩ）を作成する。ここでＳＴＩは、解像度データ、アスペクトデータなどを保存し、再生時、各デコーダ部ではこの情報を元に初期設定が行われる。
【００７０】
また本装置では、データをアクセス（シーク）している間に、途切れないで再生を続けるために、最低限連続する情報単位（サイズ）を決めている。この単位をＣＤＡ（コンティギュアス・データ・エリア）という。ＣＤＡサイズは、ＥＣＣ（エラー訂正コード）ブロック（１６セクタ）の倍数であり、ファイルシステムではこのＣＤＡ単位で記録を行っている。
【００７１】
データプロセッサ部１００３は、エンコーダ部５０のフォーマッタからＶＯＢＵ単位のデータを受け取り、ＣＤＡ単位のデータをディスクドライブ部１００２あるいはハードディスクドライブ部１００４に供給している。またマイクロコンピュータブロック３０のＭＰＵは、記録したデータを再生するのに必要な管理情報を作成し、データ記録終了のコマンドを認識すると、作成した管理情報をデータプロセッサ部１００３に送る。これにより、管理情報がディスクに記録される。従って、エンコードが行われているとき、エンコーダ部５０からマイクロコンピュータブロック３０のＭＰＵは、データ単位の情報（切り分け情報など）を受け取る。また、マイクロコンピュータブロック３０のＭＰＵは、記録開始時には光ディスク及びハードディスクから読み取った管理情報（ファイルシステム）を認識し、各ディスクの未記録エリアを認識し、データ上の記録エリアをデータプロセッサ部１００３からディスクに設定している。
【００７２】
なお、この発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００７３】
【図１】この発明の一実施の形態を示す構成説明図である。
【図２】図１の装置の番組リストマージ処理動作の例を示すフローチャートである。
【図３】図１の装置の録画予約動作の例を示すフローチャートである。
【図４】この発明が適用された情報記録再生装置の構成例を示す図である。
【符号の説明】
【００７４】
１１・・・サーバー、１２・・・ネットワークインターフェース、１３・・・ユーザ嗜好分析部、１４・・・ＥＰＧ情報処理部、１６・・・お勧め番組リスト生成部、１０００・・・記録メディア部、４００・・・受信部、５００・・・記録処理部、６００・・・再生処理部、７００・・・出力部、３０１・・・ＥＰＧ情報処理部、３０２・・・内部番組リスト生成部、３０３・・・お好み番組情報生成部、３０４・・・外部番組リスト格納部。
【図１】
0004660416.tif 000004
【図２】
0004660416.tif 000005
【図３】
0004660416.tif 000006
【図４】
0004660416.tif 000007